(57)【要約】  【課題】  自然石結合ブロック体を従来例に比し、一層強固に結合し、且つ、クレーン等による吊り上げ作業を容易にして現場施工性を向上させるとともに、河川流速にも充分に耐え得る自然石結合ブロック体を得る。  【解決手段】  本考案は上記目的を達成するために複数個の大塊状の自然石２を並設して略方形状の集合体を形成し、該集合体の周側面側及び内部側において相互に隣接する自然石２，２…同志を幅止筋３，３…にて連結し、更に、前記内部における各自然石２，２…の相互に隣接する角部を十字状に配筋した連結金具７にて連結するとともに、前記周側面側の角部に吊兼連結金具６を固設した自然石結合ブロック体を提供する。【選択図】図２
0003120933.tif 000002
【実用新案登録請求の範囲】
【請求項１】
複数個の大塊状の自然石を並設して略方形状の集合体を形成し、該集合体の周側面側及び内部側において相互に隣接する自然石同志を幅止筋にて連結し、更に、前記内部における各自然石の相互に隣接する角部を十字状に配筋した連結金具にて連結するとともに、前記周側面側の角部に吊兼連結金具を固設したことを特徴とする自然石結合ブロック体。
【考案の詳細な説明】
【技術分野】
【０００１】
本考案は自然石結合ブロック体に関するものであり、特に、堤防、護岸、河川根固工、海岸堤防工、擁壁工等に適用される自然石結合ブロック体に関するものである。
【背景技術】
【０００２】
従来、此種の自然石結合ブロック体は複数個の大塊状の自然石を集合させ、隣接の自然石の接合部に挿入孔が対峙して穿設され、そして、相互に対峙する挿入孔に可撓性金属線から成る接合部材を挿入して後、該挿入孔に接合剤を充填し、前記複数個の自然石を一体成形してなるものである。（引用文献１参照）
【特許文献１】実用新案登録第２５１３９７３号公報
【考案の開示】
【考案が解決しようとする課題】
【０００３】
特許文献１記載の考案に係る自然石結合ブロック体は多数の自然石を集合させ、隣接する自然石に夫々対峙して挿入孔が穿設されており、該挿入孔に可撓性金属線から成る接合部材を挿入して後、該挿入孔に接合剤を充填して前記多数の自然石を一体的に結合して成るのであるから、該自然石結合ブロック体は例えばクレーンにて吊り上げて現場に敷設する際には、該自然石結合ブロック体に吊り上げ部が固設されていないため、前記接合部材にクレーンのフックを引掛するか、又は各自然石間にワイヤー掛けして吊り上げることになるが、この場合、該接合部材は例えば、該引用文献１の図１に記載されているように可撓性金属線にて形成されるコイル等から成るワイヤーにて形成されているので、自然石結合ブロック体の重量に対する接合部材の耐力が不足し、切損するようなことがあり、依って、吊り上げ作業に支障を来し施工性の向上を期待することができない。又、例えば、河川構造物として該自然石結合ブロック体を設置した場合において、大なる河川流速に対しては前記可撓性金属線から成る接合部材は伸張して切損し、斯くして、河川敷に施工した自然石結合ブロック体は破壊脱落すると云う欠陥を有する。
【０００４】
そこで、上記欠陥に鑑み自然石結合ブロック体の結合を従来例に比し一層強固にし、且つ、クレーン等による吊り上げを容易にして現場施工性の向上が期待でき、大なる河川流速にも充分な耐力を有する自然石結合ブロック体を得るために解決すべき技術的課題が生じてくるのであり、本考案は該課題を解決することを目的とする。
【課題を解決するための手段】
【０００５】
本考案は上記目的を達成するために提案されたものであり、複数個の大塊状の自然石を並設して略方形状の集合体を形成し、該集合体の周側面側及び内部側において相互に隣接する自然石同志を幅止筋にて連結し、更に、前記内部における各自然石の相互に隣接する角部を十字状に配筋した連結金具にて連結するとともに、前記周側面側の角部に吊兼連結金具を固設した自然石結合ブロック体を提供するものである。
【０００６】
この構成によれば、一体に結合された自然石結合ブロック体の幅止筋及び十字状に配筋された連結金具が例えば河川流速に対して相互に耐力を分担する。
【０００７】
又、クレーン等による吊り上げも該自然石結合ブロック体の周側面側の角部に固設されている吊兼連結金具にクレーン等のフックが引掛されて該自然石結合ブロック体の吊り上げが実行される。
【考案の効果】
【０００８】
この考案に係る自然石結合ブロック体を例えば河川敷に設置する場合はクレーンを用い、フックを該自然石結合ブロック体の周側面側の角部に固設されている吊兼連結金具に引掛することにより、該自然石結合ブロック体の吊り上げを可能にし、斯くして、本考案の自然石結合ブロック体の現場施工が容易に実行でき、施工性が向上する。又、該吊兼連結金具は他の隣接して設置される自然石結合ブロック体との結合にも用いられることができる。更に、例えば河川敷に設置された本考案の自然石結合ブロック体は河川流速に対しても前記幅止筋及び十字状に配筋された連結金具が相互に応力を分担することにより、該河川流速に対して充分な耐力を有し、破壊・脱落等の憂も解消される。
【０００９】
更に又、河川等の現場の状況に応じ、本考案の自然石結合ブロック体を２層又それ以上にも構築することもできるので、急流河川においても該流速に対して安定した質量を有し、常に該流速にも対応でき河川環境の向上に寄与でき、構造物としての機能を充分に発揮することができる。即ち、各自然石間には適切な空間が確保できるので魚の稚魚やプランクトン等の繁殖に適し、流下土砂等が該自然石間に堆積することにより、植物等が繁茂する環境や昆虫類の生息空間も自然に生成されることになる。
【００１０】
更に又、生態系に良好な空間効果は磯の復元効果及び消波効果も発揮することも可能であり、堤防の安全機能、波の打ち上げ高低減効果、反射率の低減等に基づく災害の防止にも効率良く寄与する等、正に諸種の著大なる効果を奏する考案である。
【考案を実施するための最良の形態】
【００１１】
この考案は、河川敷等に設置される自然石結合ブロック体であって、該自然石結合ブロック体の結合を従来例に比し一層強固なものにし、且つ、現場施工が容易に実行できるとともに、大なる河川流速にも充分な耐力を有する自然石結合ブロック体を得ると云う目的を複数個の大塊状の自然石を並設して略方形状の集合体を形成し、該集合体の周側面側及び内部側において相互に隣接する自然石同志を幅止筋にて連結し、更に、前記内部における各自然石の相互に隣接する角部を十字状に配筋した連結金具にて連結するとともに、前記周側面側の角部に吊兼連結金具を固設したことを特徴とする自然石結合ブロック体を提供することにより実現した。
【実施例】
【００１２】
以下、本考案の好適な一実施例を図１乃至図１０に従って詳述する。図１は本考案の自然石結合ブロック体１の結合状態を示す平面図であり、図２は同一部切欠裏面図である。該自然石結合ブロック体１は大塊状の自然石２，２…を複数個相互に並設して略方形状のブロック体に形成して成る。図示例では９個の自然石２，２…が３個宛三列に並設されて略正方形状に形成されている。勿論、之に限定せられるべきではない。
【００１３】
図１及び図２において、該自然石結合ブロック体１は周側面側において鉄筋から成る幅止筋３，３…の両端部が隣接する相互の自然石２，２に固設されている。該幅止筋３の固設手段としては例えば図２の切欠部分に図示されているように、相互に隣接の自然石２，２に挿入孔４，４が穿設され、そして、該挿入孔４，４に該幅止筋３の両端部を挿入し、凝固剤５を該挿入孔４，４に充填して硬化させることにより、該幅止筋３が隣接の自然石２，２の周側面部分相互を強固に結合させて略正方形状のブロックを保持する。
【００１４】
又、図１及び図２における中央部の３個の自然石２，２，２にも夫々前記挿入孔が穿設され、該挿入孔に前記幅止筋３，３…の夫々の端部を挿入し、前記凝固剤５を該挿入孔に充填して硬化させることにより、中央部の自然石２，２，２相互を図において左右方向に結合させ、前記周側面部に固設された幅止筋３，３…と相俟って自然石結合ブロック体１を安定的に結合させることができる。  又、前記幅止筋３，３…のうち自然石結合ブロック体１の周側面側に配設された幅止筋３，３…は、好ましくは夫々の端部を各自然石２，
２…の内部側へ折曲し、この折曲部に対応する如く前記挿入孔４，４…が夫々各自然石２，２…の内部側へ向かって穿設されるを可とする。然るときは、該幅止筋３，３…による各自然石２，２…の結合が一層強固なものとなる。
【００１５】
又、前記自然石結合ブロック体１の各角部には吊兼連結金具６，６，６，６が固設されている。該吊兼連結金具６，６，６，６の夫々の固設手段は、図３の切欠部分に図示されているように、自然石結合ブロック体１の角部の自然石２，２，２，２の下面から自然石２，２，２，２の内部斜め方向へ前記挿入孔４，４，４，４を穿設し、該挿入孔４，４，４，４に前記吊兼連結金具６，６，６，６の夫々の端部を挿入し、前記凝固剤５を各挿入孔４，４，４，４に充填して硬化させることにより、該吊兼連結金具６，６，６，６は夫々対応する前記角部の自然石２，２，２，２に強固に固設される。該吊兼連結金具６，６，６，６は該自然石結合ブロック体１を例えば河川敷へ設置する場合、クレーンのフック（図示せず）に引掛して該クレーンにて自然石結合ブロック体１を吊り上げ、そして、現場設置作業の効率化を促進させることができるように構成されたものである。又、該吊兼連結金具６は後述するように連結金具７としても用いられることができる。
【００１６】
而して、該連結金具７は自然石結合ブロック体１の内部の夫々対峙する角部に十字状に配設され、そして、夫々の端部を前記各自然石２，２…に、図２の破断部分に示すように前記挿入孔４，４…を穿設し、該挿入孔４，４…に夫々対応する前記連結金具７，７…の端部を挿入し、前記凝固剤５を夫々充填して硬化させることにより自然石結合ブロック体１の内部における各自然石２，２…の角部を結合させ、そして、前記幅止筋３，３…の結合と相俟って一層強固に自然石結合ブロック体１を構成することができる。
【００１７】
又、前記吊兼連結金具６，６，６，６を介してクレーンにて吊り上げ、現場設置作業を実行するとき、既に設置されている自然石結合ブロック体１に隣接して他の自然石結合ブロック体１，１…を設置する場合、該吊兼連結金具６，６，６，６は他の夫々隣接して設置される自然石結合ブロック体１の夫々の角部に固設されている他の吊兼連結金具６，６…と交点において強固に絡めることにより、前記連結金具７としても機能することができる。
【００１８】
又、該自然石結合ブロック体１，１…は一層のみならず、２層以上に積み重ねて設置することもできる。然るときは単位面積あたりの重量が増大し、急流における大なる河川流速にも充分に耐え、破壊・脱落等の憂が解消される。
【００１９】
図４は前記連結金具７を示し、図１の左半部の２本の連結金具７，７が絡められている状態の平面図である。各連結金具７，７は前述したように自然石結合ブロック体１の内部における各自然石２，２…の対峙する角部に配設され、そして、該連結金具７の端部７ａが折曲されて該端部７ａを自然石２の内部に向かって穿設された前記挿入孔４に挿入し、凝固剤５によって固結する。斯くして、折曲された該端部７ａはアンカー材として強力に機能することができる。又、同図右端部はループ状に湾曲されて相互に絡めて結合される結合部７ｂを示す。従って、結合部７ｂは２本の連結金具７，７，７，７が相互に絡み合って強固に結合されるものとする。但し、之に限定せられるべきではなく、例えば、４本の連結金具７，７，７，７が相互に絡み合って結合する形式を採択してもよい。
【００２０】
図５は前記吊兼連結金具６を示す。該吊兼連結金具６は同図において右端部がループ状に湾曲されてクレーンのフックの引掛部６ａを構成するとともに、自然石結合ブロック体１が多数設置されたとき前述したように、隣接の自然石結合ブロック体１，１，１，１の各角部に固設されている他の吊兼連結金具６，６，６の各引掛部６ａ，６ａ，６ａと相互に絡め合わせて結合し、前記連結金具７，７，７，７の結合部７ｂ，７ｂ，７ｂ，７ｂと同様の機能を発揮する。
【００２１】
又、図５（ｂ）は図４のＡ−Ａ線及び図５（ａ）のＢ−Ｂ線断面を示す。該断面部分は両側面が切欠される。即ち、図４においては連結金具７の端部７ａの両側面７ｃ，７ｃが、そして、図５（ａ）においては吊兼連結金具６の端部６ｂの両側面６ｃ，６ｃが夫々切欠され、そして、夫々の端部を前記挿入孔４に挿入し、凝固剤５にて硬化させることにより、アンカー材としても前記凝固剤５の硬化と相俟って強固に自然石２と結合することができるように構成されて成るものである。
【００２２】
図６は幅止筋３を示す。該幅止筋３は両端部３ａ，３ａが略直角に折曲され、そして、該両端部３ａ，３ａが前記挿入孔４，４に挿入され、前記凝固剤５の硬化によりアンカー材として隣接の自然石２，２同志を強固に結合できるように構成されている。
【００２３】
又、図７は本考案に係る自然石結合ブロック体１，１…を堤防、護岸に適用した実施例を示す。尚、同図８は吸い出し防止材、９は敷粟石、１０は土砂、１１は水生植物を示す。図８は本考案に係る自然石結合ブロック体１，１…を河川根固工に適用した実施例を示す。
【００２４】
更に、図９は本考案に係る自然石結合ブロック体１を海岸堤防工に適用した実施例を示し、図１０は本考案に係る自然石結合ブロック体１を道路擁壁工に適用した実施例を示す。尚、前記各実施例における共通部分は同一符号が付され、そして、それ等の説明は既になされているので、之等の実施例においては各前記共通部分における構成等の説明は省略するものとする。
【００２５】
尚、本考案は、本考案の精神を逸脱しない限り種々の改変を為すことができ、そして、本考案が該改変されたものに及ぶことは当然である。
【図面の簡単な説明】
【００２６】
【図１】本考案の自然石結合ブロック体の平面図。
【図２】図１の一部切欠裏面図。
【図３】幅止筋及び吊兼連結金具の固設状態を示す一部切欠正面図。
【図４】連結金具の平面図。
【図５】（ａ）吊兼連結金具の平面図。
【００２７】
（ｂ）図４のＡ−Ａ線及び図５（ａ）のＢ−Ｂ線断面図。
【図６】幅止筋の平面図。
【図７】本考案に係る自然石結合ブロック体を堤防、護岸に適用した実施例図。
【図８】本考案に係る自然石結合ブロック体を河川根固工に適用した実施例図。
【図９】本考案に係る自然石結合ブロック体を海岸堤防工に適用した実施例図。
【図１０】本考案に係る自然石結合ブロック体１を道路擁壁工に適用した実施例図。
【符号の説明】
【００２８】
１        自然石結合ブロック体
２        自然石
３        幅止筋
４        挿入孔
５        凝固剤
６        吊兼連結金具
７        連結金具
【図１】
0003120933.tif 000003
【図２】
0003120933.tif 000004
【図３】
0003120933.tif 000005
【図４】
0003120933.tif 000006
【図５】
0003120933.tif 000007
【図６】
0003120933.tif 000008
【図７】
0003120933.tif 000009
【図８】
0003120933.tif 000010
【図９】
0003120933.tif 000011
【図１０】
0003120933.tif 000012